(57)【要約】      （修正有）【課題】外観は通常の布製のエプロンでありながら、裏面にある防水性シートで衣服を汚したり、濡らしたりすることのないエプロンを提供する。【解決手段】着用者の身体の前面を覆う胸当て布８と前身頃布および後面を覆う左右後身頃布１０，１０から形成され、肩部に肩紐５，５を掛けて使用するタイプのエプロンである。表面が吸水性シート２、裏面が防水性シート３で構成されている。吸水性シート２と防水性シート３が係止具４により着脱自在になる。【選択図】図３
0003123155.tif 000002
【実用新案登録請求の範囲】
【請求項１】
着用者の身体の前面を覆う胸当て布と前身頃布および後面を覆う左右後身頃布から形成され、肩部に肩紐を掛けて使用するタイプのエプロンであって、表面が吸水性シート、裏面が防水性シートで構成されており、その吸水性シートと防水性シートを係止具により着脱自在にしたことを特徴とするエプロン。
【請求項２】
吸水性シートが柔軟性をもつ布地であり、防水性シートが柔軟性をもつ薄いプラスチックフィルムである請求項１に記載のエプロン。
【請求項３】
エプロンの前身頃布にフックに引っ掛ける吊り片を設けてある請求項１または２に記載のエプロン。
【考案の詳細な説明】
【技術分野】
【０００１】
本考案は、衣服を汚したり、濡らしたりするのを防ぐため、衣服の上に着けるエプロンに関するものであり、さらに詳しくは、外観は通常の布製のエプロンと何ら変わらず、防水機能を持つエプロンに関するものである。
【背景技術】
【０００２】
従来から、家庭の主婦などが調理や炊事など水仕事をする場合には、着用している衣服を汚したり、濡らしたりしないようにエプロンを着用して仕事をするのが一般的である。そのエプロンには、綿などの布製で液体を吸収するものと、ビニール製などの液体を吸収しない防水性のものがあった。
【０００３】
綿など布製のエプロンは、風合いがよく衣服にフィットし着用感が良いばかりでなく、跳ね返り水などを充分に吸収するが、必要以上の水分を含むと湿潤して衣服に浸透して濡らすと言う欠点がある。また、汚れが付きやすく、付いた汚れは洗濯しても落ち難いと言った問題点があった。
【０００４】
一方、ビニール製のエプロンは、防水性であるから衣服を濡らしたり、汚したりすることはなく、汚れたとしても簡単に拭き取ることができる利点はあるが、跳ね返り水などエプロンにかかった水分は吸収されずに水滴になり、下方に伝わっていき雫となって下縁から落ちるので、膝下の衣服を濡らすと共に、床を汚すと言った問題点があった。
【０００５】
上記のような問題点を解消するものとして、例えば、ビニール製のエプロン本体の表面裾部に吸水片を取り付け、エプロン上を流下する水滴を吸収させて足元などを濡らさないようにするエプロンがある（例えば、特許文献１）。または、防水性前掛けの下端部を折り返して水滴たまり部を設けた前掛けが知られている（例えば、特許文献２）。
【０００６】
【特許文献１】実用新案登録第１２１０１７８号
【特許文献２】実開平５−２７００７号公報
【考案の開示】
【考案が解決しようとする課題】
【０００７】
しかしながら、前記の特許文献１、２の防水エプロンは、吸水片に含浸した水を搾り出したり、水滴溜り部に溜った水を流したりしなければならず、その作業に手間がかかり面倒であると共に、エプロンの表面に吸水片や水適溜り部が現出しているので外観が不体裁になり美観が悪く、かつ、ビニール製のため風合いに欠けると共に、着用感が悪いと言った問題点があった。
【０００８】
本考案は、上記のような問題点を解決することを課題として開発されたもので、外観は通常の布製のエプロンでありながら、裏面にある防水性シートで衣服を汚したり、濡らしたりすることのないエプロンを提供するものである。
【課題を解決するための手段】
【０００９】
上記の課題を解決し、その目的を達成する手段として、本考案は、着用者の身体の前面を覆う胸当て布と前身頃布および後面を覆う左右後身頃布から形成され、肩部に肩紐を掛けて使用するタイプのエプロンであって、表面が吸水性シート、裏面が防水性シートで構成されており、その吸水性シートと防水性シートを係止具により着脱自在にしたことを特徴とするエプロンを開発し、採用した。
【００１０】
また、本考案は、上記のように構成したエプロンにおいて、吸水性シートが柔軟性をもつ布地であり、防水性シートが柔軟性をもつ薄いプラスチックフィルムであるエプロン、およびエプロンの前身頃布にフックに引っ掛ける吊り片を設けてあるエプロンを開発し、採用した。
【考案の効果】
【００１１】
請求項１記載のエプロンによれば、エプロンの表面に跳ね返り水などがかかったとしても、吸水性シートで吸い込むことができ、吸い込み量が多くなって濡れた場合には、裏面の防水性シートで保護されることから、着用衣服が濡れることがない。防水性シートは、吸水性シートの裏面に隠れているから、体裁良好で外観美麗なエプロンになる。また、吸水性シートが汚れると係止具の係合を解くことにより、吸水性シートと防水性シートが分離でき、吸水性シートのみを洗濯をすることができる。防水性シートは汚れることがないので洗濯する必要がなくなって破損することがない。また、防水性シート１枚あれば、色や柄など異なる数種の吸水性シートと組み合わせて使用できる便利さがある。さらに、水仕事でない場合の着用においては、防水性シートを外して使用することができ、使い分けできる至便性がある。
【００１２】
請求項２記載のエプロンによれば、前記請求項１の記載の効果に加えて、着用した場合に形よく垂れ下がりドレープ性が良く、衣服にしなやかに密着して馴染み、着け心地が良好となる。
【００１３】
請求項３記載のエプロンによれば、前記請求項１および２の記載の効果に加えて、水仕事を終えて脱いだ時に、吊り片をフックに掛けて吊るしておくことができ、特に濡れている場合には、引っ掛けておくことにより簡単に乾かすことができる。
【考案を実施するための最良の形態】
【００１４】
以下に、本考案の実施形態を添付図面の図１〜図６に基づいて説明する。図１はエプロンの表側を示す図、図２はエプロンの裏側を示す図、図３は展開した状態の裏側を示す図、図４は図１のＡ−Ａ線断面図、図５は図２のＢ−Ｂ線断面図、図６はエプロンをフックに引っ掛けた状態を示す側面図である。
【００１５】
これらの図において、本考案に係るエプロン１は、表面側に設けた吸水性シート２と、裏面側に設けた防水性シート３と、その吸水性シート２と防水性シート３を着脱自在とする係止具４，４と、左右の肩紐５，５と、横幅調整ベルト６，７とで構成されている。
【００１６】
前記エプロン１は、胸部を覆う胸当て布８と、その胸当て布８の下部に連続して設けられた腹部や脚部を覆う前身頃布９と、背中部、臀部、脚部を覆う左右後身頃布１０，１０とで形成されているが、左右後身頃布１０，１０は背面中央部が覆われないようになっている。１１は前身頃布９の左右に設けたポケット、１２はその一方のポケット１１の上部に取り付けられた環状の吊り片である。
【００１７】
前記肩紐５，５は、一端部が胸当て布８の両側端に縫着されてあり、他端部が自由端でその端部に上下間隔を存して２個の釦１３，１３を取り付けてあり、この釦１３，１３が左右後身頃布１０，１０の両側端に設けた縦釦孔１４，１４と係合するようになっている。また、左右後身頃布１０，１０の一側端には横釦孔１５をあけた横幅調整ベルト６を取り付けてあり、他側端には間隔を存して横方向に２個の釦１６，１６を取り付けた横幅調整ベルト７が設けられてあり、両調整ベルト６，７を背面中央部で重合させ釦１６を横釦孔１５に係合してエプロン１を着装できるようになっている。
【００１８】
エプロン１の表側の吸水性シート２としては、綿や麻などの天然繊維あるいはその天然繊維とナイロン、ポリエステルなどの合成繊維との混合繊維などからなる織布、不織布、編布などのもの用いることができるが、吸水性や繰り返し行われる洗濯による耐久性などの理由から、綿とポリエステルとの混合繊維からなるシートが適している。
【００１９】
エプロン１の裏側の防水性シート３としては、ポリエチレン、ポリ塩化ビニル、ポリプロピレン、ポリエステル、ポリウレタンなどのプラスチックフィルムなどを用いるのが良い。また、布の片面や両面にゴムを薄く被着したゴム引き布でもよいが、プラスチックフィルムの方が薄く仕上がることから適している。
【００２０】
吸水性シート２と防水性シート３を係止する係止具４としては、多数のフック状と多数のループ状が互いに絡んで係合する面状ファスナーが最適であるが、凸型の上スナップと凹型の下スナップ、あるいは釦と釦孔との係合でも使用できる。要するに、吸水性シート２と防水性シート３が着脱自在になる手段であればよい。
【００２１】
このように構成した実施の形態の使用状態を作用、効果と共に説明すると、左右の肩紐５，５の一端部に設けた釦１３，１３と左右後身頃布１０，１０の両側端に設けた縦釦孔１４，１４と係合しておく。図２に示すように、下部の釦１３ｂを係合すれば肩紐５が長くなり、エプロン１の裾丈が長くなり、逆に上部の釦１３ａを係合すれば肩紐５が短くなり、エプロン１の裾丈が短くなり長さ調整できる。
【００２２】
そして、左右の肩紐５，５間に掛け渡してある横紐５ａと前身頃布９との間に首を通して、手を肩紐５と前身頃布９との空間部に通せば、左右の肩紐５，５が肩部に掛けられた状態になる。その後、横幅調整ベルト６、７を背中の中央部に引き寄せて、横幅調整ベルト６の横釦孔１５に他方の横幅調整ベルト７の釦１６を係合する。図２に示すように、外側の釦１６ｂを係合すれば横幅は広まり、逆に内側の釦１６ａを係合すれば横幅は狭くなり、着用者の体形に合わせて調整でき着用者の身体にフィットする。
【００２３】
このようにしてエプロン１を着用して水仕事をすると、跳ね返りの水しぶきがかかったとしても、表面が綿とポリエステルとの混合繊維の吸水性シート２であるから、充分に吸収できて着用衣類を汚したり、濡らしたりすることがなくなると共に、該吸水性シート２が充分に水分を含んで濡れたとしても、プラスチックフィルムの防水性シート３で防水されているから、着用衣類を濡らしたりすることがない。また、表面が綿とポリエステルとの混合繊維からなる吸水性シート２であるから、風合いが良くなると共に、ドレープ性に優れ着心地がよくなる。
【００２４】
また、エプロン１が水を含んで濡れている時には、環状の吊り片１２をフック１７にかけておけば、乾かすことができ、環状吊り片１２はエプロン１の長さ方向の略中央部に設けられてあるから、フック１７に掛けた時に二つ折りされ適度な長さとなって乾すことができる。
【００２５】
また、表面が綿とポリエステルとの混合繊維からなる吸水性シート２の場合は、適度の吸水力を保持すると共に、吸水性シート２が汚れた時に繰り返し行われる洗濯に対しての強度性にも優れたものになる。
【００２６】
以上、本考案の主要な実施の形態について説明したが、本考案は上記の実施の形態に限定されるものではなく、本考案の目的を達成でき、かつ本考案の要旨を逸脱しない範囲内で種々設計変更が可能であり、それらも全て本考案の範囲内に包含されるものである。
【産業上の利用可能性】
【００２７】
本考案は、一般家庭用の主婦などが炊事や調理の時に着用するばかりでなく、食堂の厨房、魚屋、水産業に携わる作業用のエプロンとしても有効的に利用できるものである。
【図面の簡単な説明】
【００２８】
【図１】本考案のエプロンの正面図である。
【図２】本考案のエプロンの背面図である。
【図３】本考案のエプロンの展開した背面図である。
【図４】図１のＡ−Ａ線断面図である。
【図５】図２のＢ−Ｂ線断面図である。
【図６】吊り片をフックに掛けた状態の説明図である。
【符号の説明】
【００２９】
１    エプロン
２    吸水性シート  
３    防水性シート
４    係止具    
５    肩紐  
８    胸当て布
９    前身頃布
１０  左右後身頃布
１２  吊り片
【図１】
0003123155.tif 000003
【図２】
0003123155.tif 000004
【図３】
0003123155.tif 000005
【図４】
0003123155.tif 000006
【図５】
0003123155.tif 000007
【図６】
0003123155.tif 000008